【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
対象者と関連付けられている端末に接続される健康に関する機器の数を示す情報を含む前記対象者の健康に対する関心を示す第１の情報を取得する取得部と、
前記健康に関する機器の数に基づいて、前記対象者の健康に対する関心度を推定する推定部と、
前記関心度に基づいて、前記対象者へ提供する健康に関する第２の情報を選択する選択部と、
前記第２の情報を出力する出力部と、
を備える情報処理装置。
【請求項２】
前記第１の情報は、前記端末から健康に関するウェブページへのアクセス回数またはアクセス頻度を示す情報を含み、
前記推定部は、前記アクセス回数または前記アクセス頻度に基づいて前記関心度を推定する、
請求項１に記載の情報処理装置。
【請求項３】
前記第１の情報は、前記端末に登録されている健康に関するウェブページまたはアプリケーションの数を示す情報を含み、
前記推定部は、前記ウェブページまたは前記アプリケーションの数に基づいて前記関心度を推定する、
請求項１に記載の情報処理装置。
【請求項４】
前記推定部は、前記健康に関する機器の数に基づく前記関心度の推定に応じて前記関心度の推移を示す履歴を作成し、
前記選択部は、前記健康に関する機器の数に基づく前記関心度の推定に応じて前記履歴で示される前記関心度の最高レベルを検出し、前記関心度の前記最高レベルに対応するレベルの前記第２の情報を選択する、
請求項２または３に記載の情報処理装置。
【請求項５】
前記推定部は、前記健康に関する機器の数に基づく前記関心度の推定に応じて前記関心度の推移を示す履歴を作成し、
前記選択部は、前記健康に関する機器の数に基づく前記関心度の推定に応じて前記端末と関連付けられている前記対象者の変更の有無を判断し、前記対象者の変更なしを示す判断結果に応じて、前記履歴で示される前記関心度の最高レベルを検出し、前記関心度の前記最高レベルに対応するレベルの前記第２の情報を選択し、前記対象者の変更ありを示す判断結果に応じて、前記健康に関する機器の数に基づいて推定された前記関心度に対応するレベル以下の前記第２の情報を選択する、
請求項２または３に記載の情報処理装置。
【請求項６】
前記取得部は、第１の外部機器から前記第１の情報を取得し、
前記出力部は、前記第２の情報を前記第１の外部機器とは異なる第２の外部機器へ出力する、
請求項１に記載の情報処理装置。
【請求項７】
前記選択部は、前記関心度に応じて詳細度の異なる前記第２の情報を選択する、
請求項１から６のうちの何れか１項に記載の情報処理装置。
【請求項８】
対象者と関連付けられている端末に接続される健康に関する機器の数を示す情報を含む前記対象者の健康に対する関心を示す第１の情報を取得する取得過程と、
前記健康に関する機器の数に基づいて、前記対象者の健康に対する関心度を推定する推定過程と、
前記関心度に基づいて、前記対象者へ提供する健康に関する第２の情報を選択する選択過程と、
前記第２の情報を出力する出力過程と、
を備える情報処理方法。
【請求項９】
請求項１から７のうちの何れか１項に記載の情報処理装置が備える各部の処理をコンピュータに実行させる情報処理のためのプログラム。
【手続補正２】
【補正対象書類名】明細書
【補正対象項目名】０００６
【補正方法】変更
【補正の内容】
【０００６】
本発明は、上記事情に着目してなされたもので、本発明の目的は、対象者に応じた健康に関する情報を提供する技術を提供することである。
【手続補正３】
【補正対象書類名】明細書
【補正対象項目名】００１１
【補正方法】変更
【補正の内容】
【００１１】
本開示の第５の態様は、上記第２の態様において、前記健康に関する利用を示す情報が、前記端末に接続される健康に関する機器の数または種類を示す情報を含み、前記推定部が、前記健康に関する機器の数または種類に基づいて前記関心度を推定するようにしたものである。  
健康に対する関心度の高い人は、多くの健康に関する機器を端末に接続する傾向にある。同様に、健康に対する関心度の高い人は、体重計などの家庭に普及している健康に関する機器だけでなく、血圧計などの医療的な健康に関する機器を端末に接続する傾向にある。血圧計などの医療的な健康に関する機器は、体重計などの家庭に普及している健康に関する機器よりも、健康に対する関心度の高い人向けの機器といえる。他方、健康に対する関心度の低い人は、ほとんど健康に関する機器を端末に接続しない傾向にある。同様に、健康に対する関心度の低い人は、体重計などの家庭に普及している健康に関する機器を端末に接続しても、血圧計などの医療的な健康に関する機器を端末に接続しない傾向にある。情報処理装置は、端末に接続される健康に関する機器の数または種類を参照することで、健康に対する関心度の推定精度を向上させることができる。
【手続補正４】
【補正対象書類名】明細書
【補正対象項目名】００５０
【補正方法】変更
【補正の内容】
【００５０】
プロセッサ２０１は、携帯端末２の各要素を制御する。例えば、プロセッサ２０１は、ＣＰＵであるが、これに限定されない。プロセッサ２０１は、記憶装置２０４に格納された携帯端末２を実行させるためのプログラムをＲＡＭ２０３に展開する。そして、プロセッサ２０１がＲＡＭ２０３に展開されたプログラムを解釈及び実行することで、プロセッサ２０１は、各種動作を実行可能である。
【手続補正５】
【補正対象書類名】明細書
【補正対象項目名】００７３
【補正方法】変更
【補正の内容】
【００７３】
さらに、本実施形態では、サーバ１は、携帯端末２から健康に関するウェブページへのアクセス回数またはアクセス頻度に基づいて健康に対する関心度を推定することができる。  
健康に対する関心度の高い人は、携帯端末２を利用して健康に関するウェブページへ多くアクセスする傾向にある。他方、健康に対する関心度の低い人は、携帯端末２を利用して健康に関するウェブページへほとんどアクセスしない傾向にある。サーバ１は、携帯端末２から健康に関するウェブページへのアクセス回数またはアクセス頻度を参照することで、健康に対する関心度の推定精度を向上させることができる。
【手続補正６】
【補正対象書類名】明細書
【補正対象項目名】００８２
【補正方法】変更
【補正の内容】
【００８２】
§６  付記  
本実施形態の一部または全部は、特許請求の範囲のほか以下の付記に示すように記載することも可能であるが、これに限定されない。  
（付記）  
対象者の健康に対する関心を示す第１の情報を取得する取得部（１０１１）と、
前記第１の情報に基づいて、前記対象者の健康に対する関心度を推定する推定部（１０１２）と、
前記関心度に基づいて、前記対象者へ提供する健康に関する第２の情報を選択する選択部（１０１３）と、
前記第２の情報を出力する出力部（１０１４）と、
を備えるサーバ（１）。
以下に本願の出願当初の特許請求の範囲に記載された発明を付記する。
[Ｃ１]  対象者の健康に対する関心を示す第１の情報を取得する取得部と、
前記第１の情報に基づいて、前記対象者の健康に対する関心度を推定する推定部と、  前記関心度に基づいて、前記対象者へ提供する健康に関する第２の情報を選択する選択部と、
前記第２の情報を出力する出力部と、
を備える情報処理装置。
[Ｃ２]  前記第１の情報は、前記対象者と関連付けられている端末の健康に関する利用を示す情報を含み、
前記推定部は、前記健康に関する利用に基づいて前記関心度を推定する、
Ｃ１に記載の情報処理装置。
[Ｃ３]  前記健康に関する利用を示す情報は、前記端末から健康に関するウェブページへのアクセス回数またはアクセス頻度を示す情報を含み、
前記推定部は、前記アクセス回数または前記アクセス頻度に基づいて前記関心度を推定する、
Ｃ２に記載の情報処理装置。
[Ｃ４]  前記健康に関する利用を示す情報は、前記端末に登録されている健康に関するウェブページまたはアプリケーションの数を示す情報を含み、
前記推定部は、前記ウェブページまたは前記アプリケーションの数に基づいて前記関心度を推定する、
Ｃ２に記載の情報処理装置。
[Ｃ５]  前記健康に関する利用を示す情報は、前記端末に接続される健康に関する機器の数を示す情報を含み、
前記推定部は、前記健康に関する機器の数に基づいて前記関心度を推定する、
Ｃ２に記載の情報処理装置。
[Ｃ６]  前記推定部は、前記健康に関する利用に基づく前記関心度の推定に応じて前記関心度の推移を示す履歴を作成し、
前記選択部は、前記健康に関する利用に基づく前記関心度の推定に応じて前記履歴で示される前記関心度の最高レベルを検出し、前記関心度の前記最高レベルに対応するレベルの前記第２の情報を選択する、
Ｃ２から５のうちの何れか１項に記載の情報処理装置。
[Ｃ７]  前記推定部は、前記健康に関する利用に基づく前記関心度の推定に応じて前記関心度の推移を示す履歴を作成し、
前記選択部は、前記健康に関する利用に基づく前記関心度の推定に応じて前記端末と関連付けられている前記対象者の変更の有無を判断し、前記対象者の変更なしを示す判断結果に応じて、前記履歴で示される前記関心度の最高レベルを検出し、前記関心度の前記最高レベルに対応するレベルの前記第２の情報を選択し、前記対象者の変更ありを示す判断結果に応じて、前記健康に関する利用に基づいて推定された前記関心度に対応するレベル以下の前記第２の情報を選択する、
Ｃ２から５のうちの何れか１項に記載の情報処理装置。
[Ｃ８]  前記取得部は、第１の外部機器から前記第１の情報を取得し、
前記出力部は、前記第２の情報を前記第１の外部機器とは異なる第２の外部機器へ出力する、
Ｃ１に記載の情報処理装置。
[Ｃ９]  前記選択部は、前記関心度に応じて詳細度の異なる前記第２の情報を選択する、
Ｃ１から８のうちの何れか１項に記載の情報処理装置。
[Ｃ１０]  対象者の健康に対する関心を示す第１の情報を取得する取得過程と、
前記第１の情報に基づいて、前記対象者の健康に対する関心度を推定する推定過程と、  前記関心度に基づいて、前記対象者へ提供する健康に関する第２の情報を選択する選択過程と、
前記第２の情報を出力する出力過程と、
を備える情報処理方法。
[Ｃ１１]  Ｃ１から９のうちの何れか１項に記載の情報処理装置が備える各部の処理をコンピュータに実行させる情報処理のためのプログラム。
【手続補正７】
【補正対象書類名】明細書
【補正対象項目名】００８３
【補正方法】変更
【補正の内容】
【００８３】
１…サーバ、２…携帯端末、３…血圧計、４…体重計、１００…情報配信システム、１０１…プロセッサ、１０２…ＲＯＭ、１０３…ＲＡＭ、１０４…記憶装置、１０５…通信インタフェース、２０１…プロセッサ、２０２…ＲＯＭ、２０３…ＲＡＭ、２０４…記憶装置、２０５…通信インタフェース、２０６…入力部、２０７…表示部、２０８…音声出力部、１０１１…取得部、１０１２…推定部、１０１３…選択部、１０１４…出力部、Ａ１…サーバ、Ａ２…携帯端末。